(57)【要約】【課題】  本発明は、紙幣、旅券、有価証券等の貴重印刷物に偽造防止用として施す連続階調模様を有する印刷物の作製方法及びその印刷物に関するものである。【解決手段】  基材上に、異なる二色の画線が万線状に配列された第１の要素上に、第１の要素を隠蔽するインキで第２の要素を、第１の要素と異なるピッチで配置することで、隠蔽箇所や面積率が順次変化することで、レインボー印刷で形成した模様と同様な連続階調が視認可能となる連続階調模様を有する印刷物の作製方法及びその印刷物である。【選択図】  図７
2013230640.tif 000002
【特許請求の範囲】
【請求項１】
基材上における少なくとも一部の領域に、前記基材とは異なる色の第１の要素が万線状に配列された上に、前記第１の要素を隠蔽する色の第２の要素を、前記第１の要素と異なるピッチで万線状に配列することで、連続階調となる連続階調模様が形成された印刷物の作製方法であって、
前記基材とは異なる色の第１の色材により形成する第１ａの要素と、前記第１の色材とは異なる色の第２の色材により形成する第１ｂの要素とを、隣り合わせて配置する要素セットを万線状に印刷して第１の要素群を作製する工程と、
前記第１の色材及び前記第２の色材とは異なる色の第３の色材により形成する第２の要素を、前記第１の要素群と同じ方向性を有し、かつ、前記第１の要素を隠蔽する面積率が、隣り合う前記第２の要素ごとに異なるように万線状に印刷して第２の要素群を作製する工程とを有する連続階調模様を有する印刷物の作製方法。
【請求項２】
前記第１の要素を、第１の方向に第１のピッチで配列し、
前記第２の要素を、前記第１の方向と同じ又は所定の角度を有する第２の方向に、前記第１のピッチの正の整数倍を除くピッチである第２のピッチで配列することを特徴とする請求項１記載の連続階調模様を有する印刷物の作製方法。
【請求項３】
前記第２のピッチを、前記第１のピッチに対して、０．６〜１．９倍（１倍のピッチを除く）のピッチとすることを特徴とする請求項２記載の連続階調模様を有する印刷物の作製方法。
【請求項４】
前記連続階調模様において、前記第１の方向及び前記第１の方向と直交する方向の二方向に連続階調を視認可能とするために、前記第１の方向に対する前記第２の方向が有する所定の角度を、１度以上３度未満に設定することを特徴とする請求項２又は３項記載の連続階調模様を有する印刷物の作製方法。
【請求項５】
前記第１の要素群において、前記第１ａの要素及び前記第１ｂの要素を交互に配列して印刷することを特徴とする請求項１乃至４のいずれか一項記載の連続階調模様を有する印刷物の作製方法。
【請求項６】
基材上における少なくとも一部の領域に、前記基材とは異なる色の第１の要素が万線状に配列された第１の要素群と、
前記第１の要素群の上に、前記第１の要素とは異なる色の第２の要素が、前記第１の要素群と同じ方向性を有して万線状に配列された第２の要素群が形成され、
前記第１の要素群は、隣り合う二つの前記第１の要素ごとに、第１の色材により印刷された第１ａの要素及び前記第１の色材とは異なる色の第２の色材で印刷された第１ｂの要素から成る要素セットを複数有し、
前記第２の要素群の各々の前記第２の要素により前記第１の要素を隠蔽する面積率が、隣り合う前記第２の要素ごとに異なるように配置され、
前記第２の要素により隠蔽される前記第１ａの要素及び／又は前記第１ｂの要素の面積率に差が生じて連続階調が付与された連続階調模様が形成されていることを特徴とする連続階調模様を有する印刷物。
【請求項７】
前記第１の要素は、第１の方向に第１のピッチで配列され、
前記第２の要素は、前記第１の方向と同じ又は所定の角度を有する第２の方向に、前記第１のピッチの正の整数倍を除くピッチである第２のピッチで配列されることで形成されることを特徴とする請求項６記載の連続階調模様を有する印刷物。
【請求項８】
前記第２のピッチは、前記第１のピッチに対して、０．６〜１．９倍（１倍のピッチを除く）のピッチであることを特徴とする請求項７記載の連続階調模様を有する印刷物。
【請求項９】
前記第１の方向に対する前記第２の方向が有する所定の角度が１度以上３度未満であることで、前記第１の方向及び前記第１の方向と直交する方向の二方向に連続階調が視認可能な連続階調模様が形成されていることを特徴とする請求項７又は８記載の連続階調模様を有する印刷物。
【請求項１０】
前記第１の要素群において、前記第１ａの要素及び前記第１ｂの要素が交互に配列されることを特徴とする請求項６乃至９のいずれか一項に記載の連続階調模様を有する印刷物。
【発明の詳細な説明】
【技術分野】
【０００１】
本発明は、紙幣、旅券、有価証券等の貴重印刷物に施す連続階調模様を有する印刷物の作製方法及びその印刷物に関するものである。
【背景技術】
【０００２】
紙幣、旅券、有価証券等の貴重印刷物は、その性質上偽造されにくいことが要求される。この対策として、従来から印刷絵柄を幅方向に複数の色で刷り分けて、隣り合った色の境界をにじませるレインボー印刷が施されている。レインボー印刷は、特許文献１に開示されているように、インキ壺内が幅方向に複数分割された中間インキ堰を有する特殊なインキ装置を用いて作製される。
【０００３】
レインボー印刷方法としては、まず、複数分割されたインキ壷内に各々異なる色のインキを供給した後、インキ出しローラの回転により底板との隙間から幅方向に複数の色相の異なるインキ膜をインキ出しローラ表面に形成する。次に、複数のインキ膜は呼び出しロ−ラに転移され、さらに練りローラと振りローラによって形成される下流のローラ群にインキを供給される過程で、振りローラが幅方向に摺動することにより、隣り合った色相のインキ膜の境界を混ぜ合わせる。最後に、版胴の印刷版面の表面に転移させ、印刷版面からブランケット胴のブランケット表面を介して印刷用紙に転写することで、隣り合った色の境界を虹色のようににじませることで、連続階調のレインボー印刷を作製することが可能となる。
【先行技術文献】
【特許文献】
【０００４】
【特許文献１】特許第２５５２４５８号公報
【発明の開示】
【発明が解決しようとする課題】
【０００５】
しかしながら、レインボー印刷は特殊なインキ装置を用いるため、当該装置を有しなくては作製することはできない。また、均一なレインボー印刷を安定して作製するためには、インキ出し量の調整と管理を頻繁に行う必要があり、オペレーターには高い技能と作業負荷が要求されている。さらに、インキ供給装置の構成上、ローラ群と平行な方向にしかレインボー印刷を施すことができず、デザインを設計する上での制約となっている。
【０００６】
本発明は、上記課題の解決を目的とするものであり、具体的には、特殊なインキ供給装置を用いずに、かつ、簡易な方法で、オペレーターの望む任意の方向にレインボー印刷と同様の効果を有する印刷物の作製方法を提供することにある。
【課題を解決するための手段】
【０００７】
前述の目的を達成するために、請求項１記載の発明は、基材上における少なくとも一部の領域に、基材とは異なる色の第１の要素が万線状に配列された上に、第１の要素を隠蔽する色の第２の要素を、第１の要素と異なるピッチで万線状に配列することで、連続階調となる連続階調模様が形成された印刷物の作製方法であって、基材とは異なる色の第１の色材により形成する第１ａの要素と、第１の色材とは異なる色の第２の色材により形成する第１ｂの要素とを、隣り合わせて配置する要素セットを万線状に印刷して第１の要素群を作製する工程と、第１の色材及び第２の色材とは異なる色の第３の色材により形成する第２の要素を、第１の要素群と同じ方向性を有し、かつ、第１の要素を隠蔽する面積率が、隣り合う第２の要素ごとに異なるように万線状に印刷して第２の要素群を作製する工程とを有する連続階調模様を有する印刷物の作製方法であることを特徴とする。
【０００８】
また、請求項２の発明は、請求項１記載の連続階調模様を有する印刷物の作製方法において、第１の要素を、第１の方向に第１のピッチで配列し、第２の要素を、第１の方向と同じ又は所定の角度を有する第２の方向に、第１のピッチの正の整数倍を除くピッチである第２のピッチで配列することを特徴とする。
【０００９】
また、請求項３の発明は、請求項２記載の連続階調模様を有する印刷物の作製方法において、第２のピッチを、第１のピッチに対して、０．６〜１．９倍（１倍のピッチを除く）のピッチとすることを特徴とする。
【００１０】
また、請求項４の発明は、請求項２又は３項記載の連続階調模様を有する印刷物の作製方法において、連続階調模様において、第１の方向及び第１の方向と直交する方向の二方向に連続階調を視認可能とするために、第１の方向に対する第２の方向が有する所定の角度を、１度以上３度未満に設定することを特徴とする。
【００１１】
また、請求項５の発明は、請求項１乃至４のいずれか一項に記載の連続階調模様を有する印刷物の作製方法において、第１の要素群において、第１ａの要素及び第１ｂの要素を交互に配列して印刷することを特徴とする。
【００１２】
また、請求項６の発明は、連続階調模様を有する印刷物において、基材上における少なくとも一部の領域に、基材とは異なる色の第１の要素が万線状に配列された第１の要素群と、第１の要素群の上に、第１の要素とは異なる色の第２の要素が、第１の要素群と同じ方向性を有して万線状に配列された第２の要素群が形成され、第１の要素群は、隣り合う二つの第１の要素ごとに、第１の色材により印刷された第１ａの要素及び第１の色材とは異なる色の第２の色材で印刷された第１ｂの要素から成る要素セットを複数有し、第２の要素群の各々の第２の要素により第１の要素を隠蔽する面積率が、隣り合う第２の要素ごとに異なるように配置され、第２の要素により隠蔽される第１ａの要素及び／又は第１ｂの要素の面積率に差が生じて連続階調が付与された連続階調模様が形成されていることを特徴とする。
【００１３】
また、請求項７の発明は、請求項６記載の連続階調模様を有する印刷物において、第１の要素は、第１の方向に第１のピッチで配列され、第２の要素は、第１の方向と同じ又は所定の角度を有する第２の方向に、第１のピッチの正の整数倍を除くピッチである第２のピッチで配列されることで形成されることを特徴とする。
【００１４】
また、請求項８の発明は、請求項７記載の連続階調模様を有する印刷物において、第２のピッチは、第１のピッチに対して、０．６〜１．９倍（１倍のピッチを除く）のピッチであることを特徴とする。
【００１５】
また、請求項９の発明は、請求項７又は８記載の連続階調模様を有する印刷物において、第１の方向に対する第２の方向が有する所定の角度が１度以上３度未満であることで、第１の方向及び第１の方向と直交する方向の二方向に連続階調が視認可能な連続階調模様が形成されていることを特徴とする。
【００１６】
さらに、請求項１０の発明は、請求項６乃至９のいずれか一項記載の連続階調模様を有する印刷物において、第１の要素群において、第１ａの要素及び第１ｂの要素が交互に配列されることを特徴とする。
【発明の効果】
【００１７】
本発明に係る印刷物は、基材上に異なる色の印刷万線を加刷することで連続階調を有する連続階調模様を形成したことから、レインボー印刷と同様の効果を有する印刷物を、一般的な印刷機を用いて、簡易に作製することが可能となる。さらには、印刷万線を加刷する方向を変化することで、その方向に対応してレインボーが発生する方向を任意に変更することが可能となる。
【図面の簡単な説明】
【００１８】
【図１】印刷物（Ｓ）の平面図。
【図２】連続階調模様（２）の詳細を示す図。
【図３】第１の要素（３）の平面図。
【図４】第１ａの要素（３ａ）及び第１ｂの要素（３ｂ）を不規則に交互に配列した場合を示す平面図。
【図５】要素の一例を示す図。
【図６】第２の要素（４）の平面図。
【図７】連続階調模様（２）の拡大図。
【図８】第１のピッチ（Ｐ１）と、第２のピッチ（Ｐ２）の差を説明する平面図。
【図９】第１変形例の連続階調模様（２’）の詳細を示す図。
【図１０】第１変形例における第２の要素（４’）の平面図。
【図１１】第１変形例の連続階調模様（２’）の拡大図。
【図１２】基材（１）に対する連続階調模様（２）の配置を示す平面図。
【図１３】第１の要素（３）及び第２の要素（４）の他の形状を示す平面図。
【図１４】曲線状の第１の要素（３）及び第２の要素（４）から成る連続階調模様（２）を示す平面図。
【図１５】円状の第１の要素（３）及び第２の要素（４）から成る連続階調模様（２）を示す平面図。
【図１６】印刷物（Ｓ）の作製方法を示すフローチャート。
【発明を実施するための形態】
【００１９】
本発明の実施形態について図面を用いて説明する。しかしながら、本発明は以下に述べる実施するための形態に限定されるものではなく、特許請求の範囲記載における技術的思想の範囲内であれば、その他色々な形態が実施可能である。
【００２０】
図１は、本発明における印刷物（Ｓ）の平面図である。印刷物（Ｓ）は、紙幣、旅券、有価証券等の貴重印刷物である。印刷物（Ｓ）は、紙、プラスチックカード等の基材（１）上における少なくとも一部の領域（Ｚ）に、連続階調模様（２）を備えている。連続階調模様（２）は、レインボー印刷で形成した印刷模様と同様に連続階調を有する模様として視認される。
【００２１】
なお、本発明における連続階調とは、レインボー印刷物と同様に連続的な色の変化の事を言い、網点の大小により画像の濃淡を表現する連続調とは異なる。
【００２２】
図２は、図１に示した連続階調模様（２）の詳細を示す図である。図２（ａ）は、図１に示した連続階調模様（２）の拡大図であり、図２（ｂ）及び図２（ｃ）は連続階調模様（２）の展開図である。図２（ａ）に示す連続階調模様（２）は、図２（ｂ）に示す複数の第１の要素（３）と、図２（ｃ）に示す複数の第２の要素（４）から成る。
【００２３】
図２（ａ）に示す連続階調模様（２）は、図２（ｂ）に示す、万線状に配列された異なる二色の第１の要素（３）上に、第１の要素（３）を隠蔽するインキで、図２（ｃ）に示す第２の要素（４）をずらして形成する。それにより、第２の要素（４）により隠蔽される第１の要素（３）の箇所がずれていくことで、連続階調模様（２）は、レインボー印刷で形成した印刷模様と同様に視認される。以下、印刷物（Ｓ）の構成及び作製方法について詳細に説明する。
【００２４】
（第１の要素）
図３は、第１の要素（３）の平面図である。第１の要素（３）は、基材（１）上に、基材（１）とは異なる色の色材で形成する。基材（１）と第１の要素（３）が同じ色である場合、基材（１）上に形成した第１の要素（３）を、肉眼で区別して視認することができない。よって、第１の要素（３）は、基材（１）とは異なる色で形成する。
【００２５】
本発明における異なる色とは、同じ色相で濃度が異なる色としてもよく、例えば、基材（１）を淡い赤色とし、第１の要素（３）を濃い赤色とすることも可能である。なお、本発明において、後述する第２の要素（４）を形成する色材についても、色材の色が同じ色又は異なる色として視認される際の定義については、基材（１）と第１の要素（３）の色の関係と同様であることから、以下説明を省略する。
【００２６】
第１の要素（３）は、万線状に同じ方向性を有して複数配置されることで、第１の要素群（３Ｇ）と成る。同じ方向性とは、最も隣接している二つの要素が、同じ方向に並ぶことである。例えば、図３においては、最も隣接している第１の要素（３）同士が、第１の方向（Ｘ１）に並んでいる。以下、第１の要素（３）は、第１の方向（Ｘ１）に、第１のピッチ（Ｐ１）で複数配列しているとして、説明する。
【００２７】
第１の要素群（３Ｇ）は、隣り合う二つの第１の要素（３）ごとに、第１の色材で形成された第１ａの要素（３ａ）と、第１の色材とは異なる色の第２の色材で形成された第１ｂの要素（３ｂ）とから成る要素セット（５）を複数有する。
【００２８】
第１ａの要素（３ａ）及び第１ｂの要素（３ｂ）は、いずれも要素幅（Ｗ１）で形成される。要素幅（Ｗ１）は、第１のピッチ（Ｐ１）及び後述する第２の要素（４）の要素幅を考慮し、１００〜５００μｍの範囲内で適宜設定される。要素幅（Ｗ１）を１００μｍ未満とした場合、第１の要素（３）上に形成する第２の要素（４）を、さらに細い要素幅で形成する必要があり連続階調模様（２）を明瞭に視認することが困難となる。反対に、要素幅（Ｗ１）を、５００μｍ以上とした場合には、複数の第１の要素（３）の一つ一つを肉眼で識別されるため、連続階調模様（２）はストライプ状の領域として視認され、連続的に色が変化した模様として視認することができない。
【００２９】
なお、図３では隣り合う第１ａの要素（３ａ）及び第１ｂの要素（３ｂ）が、隙間を有して配置されているが、隙間なく隣接させて配置することも可能である。しかしながら、隣り合う第１ａの要素（３ａ）及び第１ｂの要素（３ｂ）を一部重複させて配置することは好ましくない。隣り合う第１ａの要素（３ａ）及び第１ｂの要素（３ｂ）を重複させて配置した場合には、その重複箇所は、第１ａの要素（３ａ）の色と第１ｂの要素（３ｂ）の色とが混色して視認される。それにより、連続階調模様（２）において、重複箇所がノイズとなり視認性が低下するという問題が生じる。
【００３０】
また、要素幅（Ｗ１）は、前述した範囲内であれば、第１ａの要素（３ａ）及び第１ｂの要素（３ｂ）において互いに異なる要素幅（Ｗ１）とすることも可能であり、さらには、複数の第１ａの要素（３ａ）又は複数の第１ｂの要素（３ｂ）においても、一つ一つを異なる要素幅（Ｗ１）とすることが可能である。
【００３１】
第１の要素（３）を配置する第１のピッチ（Ｐ１）は、印刷方式、用いる基材（１）、要素幅（Ｗ１）を考慮し、１５０〜５００μｍの範囲内で適宜設定される。
【００３２】
本発明において、複数の第１の要素（３）は、互いに重ならないように配置する。よって、第１のピッチ（Ｐ１）が１５０μｍ未満である場合には複数の第１の要素（３）を、互いに重ならないように配置するために、要素幅（Ｗ１）を、第１のピッチ（Ｐ１）よりさらに細くする必要があり、複数の第１の要素（３）を明瞭に視認することができない。反対に、第１のピッチ（Ｐ１）が５００μｍ以上である場合には、複数の第１の要素（３）の一つ一つが肉眼で識別されるため、連続階調模様（２）はストライプ状の領域として視認され、連続的に色が変化した模様として視認することができない。
【００３３】
なお、図３では第１のピッチ（Ｐ１）を一定ピッチで図示しているが、前述した範囲内であれば、一部異なるピッチとすることも可能であるが、異なるピッチとした箇所は、連続階調模様（２）の連続的に色が変化している箇所が一部欠けて視認されることから好ましくない。
【００３４】
図３に示すように、第１ａの要素（３ａ）及び第１ｂの要素（３ｂ）は規則的に交互に配列することが好ましい。第１ａの要素（３ａ）及び第１ｂの要素（３ｂ）を規則的に交互に配列するとは、複数の第１の要素（３）において、第１ａの要素（３ａ）及び第１ｂの要素（３ｂ）を一つずつ交互に、互いを入れ替えることなく配列することである。第１ａの要素（３ａ）及び第１ｂの要素（３ｂ）を規則的に交互に配列することで、ノイズを生じることなく連続階調模様（２）を視認することが可能となる。
【００３５】
なお、第１の要素群（３Ｇ）において、第１ａの要素（３ａ）及び第１ｂの要素（３ｂ）を不規則に交互に配列することも可能である。図４は、第１ａの要素（３ａ）及び第１ｂの要素（３ｂ）を不規則に交互に配列した場合を示す平面図である。図４に示すように、第１の要素群（３Ｇ）において、要素セット（５、５’）が、複数配置されている。要素セット（５）は、隣り合う二つの第１の要素（３）において、左側を第１ａの要素（３ａ）とし、右側を第１ｂの要素（３ｂ）としている。
【００３６】
一方、要素セット（５’）においては、隣り合う二つの第１の要素（３）において、左側を第１ｂの要素（３ｂ）とし、左側を第１ａの要素（３ａ）としている。それにより、要素セット（５）と、要素セット（５’）が隣り合い配置される箇所においては、一方の要素、例えば、図４においては第１ｂの要素（３ｂ）が連続して配列される。このように、一方の要素が連続して配列することを、本発明においては、不規則に交互に配列するという。
【００３７】
連続階調模様（２）において、第１ａの要素（３ａ）及び第１ｂの要素（３ｂ）を不規則に交互に配列した箇所は、一方の要素を形成する色材の色が濃く視認される。前述のとおり、第１ａの要素（３ａ）及び第１ｂの要素（３ｂ）はいずれも微細であることから、連続して配列した場合でも、連続階調模様（２）の視認性は低下しない。しかしながら、連続して配列した要素の数が多い場合には、連続階調模様（２）の一部にノイズであるベタ領域が発生して好ましくない。なお、要素が連続して配列可能となる数は、連続階調模様（２）のデザインにより適宜設定することとする。
【００３８】
本発明において要素とは、画線、点、画素の少なくとも一つ又はそれぞれの組合せである。図５は、要素の一例を示す図である。画線とは、図５（ａ）、図５（ｂ）、図５（ｃ）及び図５（ｄ）に示すような、直線、破線、波線又は破線状の波線のことである。点とは、網目スクリーン、コンタクトスクリーン等により、印刷物上に構成された点である。点及び後述する画素は、直線状又は波線状に複数配置されて、点群又は画素群を形成する。
【００３９】
要素は、点群又は画線群と成ることで、画線状に構成される。点形状は、円形ドットに限定されるものではなく、ランダムドットや本出願人が先に出願した特許第３４７８４７４号公報で提案している特殊網点生成法を用いて意匠性を加味した入力画像を網点(ハーフトーンスクリーン)から成る連続階調網点に変換した、自由度のある特殊網点形状を用いても良い。
【００４０】
画素とは、図形、文字等の二次元画像を縦横の線で分割した、その最小単位のことである。画素形状は、図５（ｅ）、図５（ｆ）、図５（ｇ）、図５（ｈ）、図５（ｉ）及び図５（ｊ）に示すような、円形状、楕円形状、多角形状、文字形状のことである。図５（ｈ）に示した文字形状は、一般的に微小文字又は特殊網点と呼ばれるが、本発明においては画素とする。さらに、図５（ｉ）及び図５（ｊ）に示すように、要素は、画線、点及び画素をそれぞれ組み合せても良い。なお、本実施形態については要素を、図５（ａ）に示す直線状の画線として説明する。
【００４１】
第１の要素（３Ｇ）は、基材（１）上に公知の印刷方式により形成する。第１の要素群（３Ｇ）の印刷方式は、オフセット印刷方式、グラビア印刷方式、スクリーン印刷方式、フレキソ印刷方式、インクジェットプリンタ、レーザプリンタ等、基材（１）上に印刷可能であれば特に限定されるものではない。印刷物（Ｓ）を作製する場合、ほとんどの印刷方式において、印刷物と印刷版面間ではドットゲインによる画線面積率又は網点面積率の上昇が見込まれることから、版面作製にあたっては、あらかじめそれを見込んだ画線面積率又は網点面積率にする必要があることはいうまでもない。
【００４２】
第１ａの要素（３ａ）を形成する第１の色材及び第１ｂの要素（３ｂ）を形成する第２の色材は、前述した印刷方式に適したインキを各種用いることが可能であり、例えば、オフセットインキ、グラビアインキ、スクリーンインキ、フレキソインキ、トナー等を用いることが可能である。また、インキは単色インキに限らず、複数のインキを混色することで各色のインキを作製し、そのインキを用いることも可能である。なお、後述する第２の要素群（４Ｇ）においても、形成する印刷方式及び用いることが可能なインキについては、第１の要素群（３Ｇ）と同様であることから、説明を省略する。
【００４３】
（第２の要素）
次に、第１の要素群（３Ｇ）上に形成する、第２の要素群（４Ｇ）について説明する。図６は、第２の要素（４）の平面図である。第２の要素（４）は、前述した第１の要素（３）を形成する第１の色材の色及び第２の色材の色を隠蔽する第３の色材から成る。
【００４４】
本発明の連続階調模様（２）は、複数の第１の要素（３）上に、複数の第２の要素（４）をずらして形成することで、第２の要素（４）により隠蔽される第１の要素（３）の箇所が徐々にずれていく。それにより、連続階調を生じさせる。よって、第２の要素（４）は、第１の要素（３）を形成する第１の色材及び第２の色材を隠蔽する第３の色材で形成する。第３の色材は、黒色、濃紺等濃度の高い色で形成する。第３の色材が、白色、黄色、黄緑等の淡い色や、透明、半透明等の透過性の高い色である場合、複数の第１の要素（３）を隠蔽することは難しく好ましくない。
【００４５】
前述した第１の要素（３）及び第２の要素（４）の形状は、直線状に限らず、第１の要素（３）上に第２の要素（４）を印刷可能であり、各要素（３、４）が同じ方向性を有して規則性を持って配列していれば、図１３に示す、円状、波線状、曲線状等種々の形状とすることが可能である。第２の要素（４）は、前述した第１の要素群（３Ｇ）と同じ方向性を有して、万線状に配列されることで第２の要素群（４Ｇ）が形成される。
【００４６】
図１４は、曲線状の第１の要素（３）及び第２の要素（４）から成る連続階調模様（２）を示す平面図である。図１４における拡大図及び展開図に示すように、複数の第１の要素（３）から成る第１の要素群（３Ｇ）と、複数の第２の要素（４）から成る第２の要素群（４Ｇ）は、同じ規則性を持って配列していることから、二つの要素群（３Ｇ及び４Ｇ）を比較した場合、類似した形状となる。このように、連続階調模様（２）を形成する第１の要素群（３Ｇ）及び第２の要素群（４Ｇ）を比較した場合に、類似した形状である場合、本発明においては同じ方向性を有して、万線状に配列しているとする。
【００４７】
図１５は、円状の第１の要素（３）及び第２の要素（４）から成る連続階調模様（２）を示す平面図である。第１の要素（３）及び第２の要素（４）は、基準点（Ｑ）を中心に、第１の方向（Ｘ１）及び第２の方向（Ｘ２）に複数配列している。よって、複数の第１の要素群（３）と複数の第２の要素（４）は、同じ方向性を有して配列される。図１４における連続階調模様（２）は、基準点（Ｑ）を中心として円の外側に向かい連続階調が生じた模様として視認される。
【００４８】
本発明においては、第１の方向（Ｘ１）に対する第２の方向（Ｘ２）が有する所定の角度が０度以上５度未満である場合、第１の要素群（３Ｇ）と第２の要素群（４Ｇ）は同じ方向性を有しているとする。
【００４９】
なお、同じ方向性においても、第１の方向（Ｘ１）に対する第２の方向（Ｘ２）が有する所定の角度が０度であり、第１の方向（Ｘ１）と第２の方向（Ｘ２）が同じ方向である場合と、第１の方向（Ｘ１）に対する第２の方向（Ｘ２）が有する所定の角度が０度を超え５度未満であり、第１の方向（Ｘ１）と第２の方向（Ｘ２）が異なる方向である場合とでは、連続階調模様（２）に生じる連続階調の方向が異なる。以下、第２の要素（４）は第２の方向（Ｘ２）に配列されて、第１の方向（Ｘ１）と第２の方向（Ｘ２）を同じ方向として形成した場合について説明し、異なる方向とした場合については後述する。
【００５０】
第２のピッチ（Ｐ２）は、第１のピッチ（Ｐ１）の正の整数倍を除くピッチである。本発明における連続階調模様（２）は、前述した複数の要素セット（５）上に配置した第２の要素（４）が、各要素セット（５）において、各々の第２の要素（４）により第１ａの要素（３ａ）及び／又は第１ｂの要素（３ｂ）を隠蔽する面積率が、隣り合う第２の要素（４）ごとに異なるように配置されることで、面積率に差が生じて連続階調が付与される。
【００５１】
第２のピッチ（Ｐ２）を、第１のピッチ（Ｐ１）の正の整数倍とした場合には、隣り合う第２の要素（４）ごとにて、第１ａの要素（３ａ）及び／又は第１ｂの要素（３ｂ）を隠蔽する面積率に差が生じず、連続階調が付与されない。よって、第２のピッチ（Ｐ２）は、前述した範囲内とする。
【００５２】
第２のピッチ（Ｐ２）は、印刷方式、用いる基材（１）、第１の要素（３）の要素幅（Ｗ１）及び前述した第１のピッチ（Ｐ１）同様の注意点を考慮し、３００〜１０００μｍの範囲内で適宜設定されるが、第１のピッチ（Ｐ１）に対して、０．６倍〜１．９倍（１倍のピッチを除く）のピッチであることが好ましい。
【００５３】
第１のピッチ（Ｐ１）に対して、０．６倍未満のピッチとした場合には、複数の第１の要素（３）の色彩より、複数の第２の要素（４）の色彩の方が主体的に視認されてしまう、連続階調を視認しづらくなり好ましくない。なお、複数の第１の要素（３）の色彩を主体的に視認可能とするために、０．６倍未満のピッチとした場合には、第２の要素（４）の要素幅（Ｗ２）を、第１の要素（３）の要素幅（Ｗ１）より細くすることが好ましい。
【００５４】
反対に、第１のピッチ（Ｐ１）に対して、１．９倍を超えるピッチとした場合には、第１の要素（３）を隠蔽する効果が劣るため、連続階調があまり生じていないベタ模様のように連続階調模様（２）が視認され好ましくない。
【００５５】
第２の要素（４）の要素幅（Ｗ２）は、第１の要素（３）の要素幅（Ｗ１）と略同一かそれより若干細いことが好ましい。細すぎると第１の要素（３）を隠蔽する効果が劣るため、連続階調があまり生じていないベタ模様のように連続階調模様（２）が視認され好ましくない。また、第１の要素（３）の要素幅（Ｗ１）より太い場合には、第１ａの要素（３ａ）及び第１ｂの要素（３ｂ）の両方を隠蔽することになり、連続階調を視認することが難しくなる。
【００５６】
さらに、第２の要素（４）が、第１の要素（３）の要素幅（Ｗ１）より太い場合には、複数の第１の要素（３）の色彩より、複数の第２の要素（４）の色彩の方が主体的に視認されてしまうため、連続階調模様（２ｃ）は全体に暗く視認される。
【００５７】
次に、前述した複数の第１の要素（３）上に、複数の第２の要素（４）を配置することで形成された連続階調模様（２）について説明する。図７（ａ）は、連続階調模様（２）の拡大図であり、図７（ｂ）は、図７（ａ）に示した、要素セット（５−１）の拡大図であり、図７（ｃ）は、図７（ａ）に示した要素セット（５−２）の拡大図である。
【００５８】
複数の第１の要素群（３）と複数の第２の要素群（４）は同じ方向性を有していることから、第１の要素（３）上に第２の要素（４）を形成した際に、最も隣接している二つの要素が、同じ方向に並ぶ。また、図７（ａ）に示すように、連続階調模様（２）は、第１の要素（３）上に、第２の要素（４）を前述した第２のピッチ（Ｐ２）で形成していることから、第２の要素（４）により隠蔽される第１ａの要素（３ａ）及び第１ｂの要素（３ｂ）の箇所は、第１の方向（Ｘ１）に徐々にずれていく。それにより、第２の要素（４）により隠蔽される第１ａの要素（３ａ）及び／又は第１ｂの要素（３ｂ）の面積率に差が生じる。
【００５９】
例えば、第１ａの要素（３ａ）及び第１ｂの要素（３ｂ）が、第２の要素（４）に隠蔽されていない場合、それぞれ面積率を５０％とし、その際の第１ａの要素（３ａ）及び第１ｂの要素（３ｂ）から成る要素セット（５）の面積率を１００％とする。図７（ｂ）に示す要素セット（５−１）における第１ａの要素（３ａ）は、第２の要素（４）により、３０％隠蔽されて、第１ｂの要素（３ｂ）は、隠蔽されていない。よって、肉眼において、要素セット（５−１）は、第１ａの要素（３ａ）の色（第１の色）が２０％、第１ｂの要素（３ｂ）の色（第２の色）が５０％及び第２の要素（３ｂ）の色（第３の色）が３０％混色した色として視認される。
【００６０】
また、図７（ｃ）に示す要素セット（５−２）における第１ａの要素（３ａ）は、第２の要素（４）により、２０％隠蔽されて、第１ｂの要素（３ｂ）は、１０％隠蔽されている。よって、肉眼において、要素セット（５−２）は、第１ａの要素（３ａ）の色（第１の色）が３０％、第１ｂの要素（３ｂ）の色（第２の色）が４０％及び第２の要素（３ｂ）の色（第３の色）が３０％混色した色として視認される。
【００６１】
図７（ｂ）に示す要素セット（５−１）と、図７（ｃ）に示す要素セット（５−２）の混色の割合においては、図７（ｃ）に示す要素セット（５−２）の方が、図７（ｂ）に示す要素セット（５−１）よりも、第１ａの要素（３ａ）の色（第１の色）の混色割合が多く、かつ、第１ｂの要素（３ｂ）の色（第２の色）の混色割合が少ない。このように、第１のピッチ（Ｐ１）と、第２のピッチ（Ｐ２）の差により、第２の要素（４）に隠蔽される第１ａの要素（３ａ）及び／又は第１ｂの要素（３ｂ）の面積率は、第１の方向（Ｘ１）に差が生じる。それにより、第１の方向（Ｘ１）に、第１の色から第２の色へ階調が連続的に変化した模様として、連続階調模様（２）が視認される。
【００６２】
なお、第１のピッチ（Ｐ１）と第２のピッチ（Ｐ２）の差により、第１の色から第２の色へと変化した連続階調の後、また第２の色から第１の色へと変化した連続階調を有する模様となる場合もある。図８は、第１のピッチ（Ｐ１）と、第２のピッチ（Ｐ２）の差を説明する平面図である。図８（ａ）が、第１のピッチ（Ｐ１）を２００μｍとし、第２のピッチ（Ｐ２）を３００μｍとした場合であり、図８（ｂ）は、第１のピッチ（Ｐ１）を２００μｍとし、第２のピッチ（Ｐ２）を２５０μｍとした場合を示す平面図である。
【００６３】
図８（ａ）と図８（ｂ）においては、図８（ｂ）に示す方が、第１のピッチ（Ｐ１）と第２のピッチ（Ｐ２）の差が小さくなる。ピッチの差が小さい方が、第２の要素（４）により隠蔽される第１の要素（３）の箇所が緩やかにずれることで、連続階調の周期が少なくなる。反対に、ピッチの差が大きい図８（ａ）の場合、第２の要素（４）により隠蔽される第１の要素（３）の箇所は急にずれていく。よって、連続階調の周期が多くなる。
【００６４】
また、第１の要素（３）及び第２の要素（４）の長さは、すべて同じ長さとしているがそれに限らず、領域（Ｚ）内であれば、その一つ一つの長さを適宜変更することが可能である。
【００６５】
（第１変形例）
図９は、第１変形例の連続階調模様（２’）を示す図であり、図９（ａ）は、第１変形例の連続階調模様（２’）を示す平面図である。前述した連続階調模様（２）は、第１ａの要素（３ａ）、第１ｂの要素（３ｂ）及び第２の要素（４）を同一方向に複数配置することで、第１の方向（Ｘ１）に連続階調が視認されていた。
【００６６】
第１変形例においては、図９（ｂ）に示す第１ａの要素（３ａ）及び第１ｂの要素（３ｂ）と、図９（ｃ）に示す第２の要素（４’）とを異なる方向に複数配置することで、第１の方向（Ｘ１）と、第１の方向（Ｘ１）と直交する方向の二方向に連続階調を視認可能な連続階調模様（２’）を形成する。なお、基材（１）及び第１の要素（３）と、第２の要素（４）を形成する色材については、前述した連続階調模様（２）と同様であることから、以下説明を省略する。
【００６７】
（第１変形例における第２の要素）
図１０は、第１変形例における第２の要素（４’）を説明する平面図である。第２の要素（４’）は、第１の方向（Ｘ１）とは異なる第２の方向（Ｘ２）に複数配置される。なお、第２の要素（４’）の第２のピッチ（Ｐ２’）は、前述した第２のピッチ（Ｐ２）と同様であることから、説明を省略する。
【００６８】
本発明における異なる方向とは、θＸで示すように、第１の方向（Ｘ１）を基準（０度）とした場合、第１の方向（Ｘ１）と第２の方向（Ｘ２）の成す角度が０度を超え５度未満であることをいう。第１の方向（Ｘ１）と第２の方向（Ｘ２）の成す角度は、連続階調模様（２’）内に発生する連続階調の周期をいくつにするかによって適宜設定することとするが、１度以上３度未満とすることが好ましい。
【００６９】
１度未満とした場合には、第１の方向（Ｘ１）と直交する方向に連続階調の発生する周期が緩やかになり、前述した連続階調模様（２）と同様に視認されることから好ましくない。また、３度以上とした場合には、第１の方向（Ｘ１）と異なる方向に発生する連続階調の周期が短くなり第１の方向（Ｘ１）に発生する連続階調を阻害するという理由により好ましくない。
【００７０】
次に、前述した複数の第１の要素（３）上に、複数の第２の要素（４’）を配置することで形成された連続階調模様（２’）について説明する。図１１は、第１変形例の連続階調模様（２’）の拡大図であり、図９（ｂ）に示した複数の第１の要素（３）上に、図９（ｃ）に示した複数の第２の要素（４’）が形成されている。
【００７１】
連続階調模様（２’）を視認した場合、前述したように、複数の第２の要素（４’）により複数の第１の要素（３）が隠蔽されることで、連続階調模様（２’）は第１の方向（Ｘ１）に連続階調を有する模様として視認される。
【００７２】
さらに、連続階調模様（２’）は、第１の要素（３）が配置される第１の方向（Ｘ１）と直交する第３の方向（Ｙ１）にも連続階調を有する模様として視認される。複数の第１の要素（３）が配置される第１の方向（Ｘ１）と複数の第２の要素（４’）が配置される第２の方向（Ｘ２）とはθＸの角度を有することから、第２の要素（４’）に隠蔽される第１の要素（３）の箇所は、連続階調模様（２’）におけるＡ−Ａ’部、Ｂ−Ｂ’部及びＣ−Ｃ’部においてそれぞれ異なる。
【００７３】
つまり、複数の第１の要素（３）は、複数の第２の要素（４’）により隠蔽される複数の第１の要素（３）の隠蔽箇所を、第１の方向（Ｘ１）だけではなく第３の方向（Ｙ１）にも有している。このことにより、連続階調模様（２’）における連続階調は第１の方向（Ｘ１）及び第３の方向（Ｙ１）の両方向に発生する。よって連続階調模様（２’）は、第１の方向（Ｘ１）及び第３の方向（Ｙ１）の双方に連続階調を有する模様として視認される。
【００７４】
図１２は、基材（１）に対する連続階調模様（２）の配置を示す平面図である。なお、図１２（ａ）に示すように、基材（１）における領域（Ｚ）に連続階調模様（２）が形成されているが、図１２（ｂ）に示すように、複数の要素セット（５）及び第２の要素（４）を配置する第１の方向（Ｘ１）及び第２の方向（Ｘ２）は、基材（１）の長辺方向に対して同じ方向に限らず、図１２（ｃ）に示すように、複数の要素セット（５）及び第２の要素（４）を配置する第１の方向（Ｘ１）及び第２の方向（Ｘ２）を、基材（１）の長辺方向に対して異なる方向としても良い。
【００７５】
図１２（ｃ）においては、一例として、基材（１）の長辺方向に対して、第１の方向（Ｘ１）及び第２の方向（Ｘ２）を、それぞれ３０度傾けている。図１２（ｂ）に示す配置とした場合には、印刷物（Ｓ）上において連続階調模様（２）は、基材（１）の長辺方向と同じ方向に連続階調が発生するが、図１２（ｃ）に示す配置とした場合には、印刷物（Ｓ）上において連続階調模様（２）は、基材（１）の長辺方向と３０度異なる方向に連続階調が発生する。
【００７６】
このように、本発明の連続階調模様（２）は、印刷万線である第１の要素（３）及び第２の要素（４）を形成する方向を変化することで、その方向に対応して連続階調が発生する方向を任意に変更することが可能となる。
【００７７】
（作製方法）
次に、本発明における連続階調模様（２、２’）が付与された印刷物（Ｓ）の作製方法について説明する。図１６は、印刷物（Ｓ）の作製方法を示すフローチャートである。
【００７８】
まず、ＳＴＥＰ１として、基材（１）上に第１の要素群（３Ｇ）を形成する。基材（１）は、上質紙、コート紙、カード、シート状のプラスチック等、公知の印刷が可能なものを用いる。
【００７９】
次に、第１の要素群（３Ｇ）における第１ａの要素（３ａ）及び第１ｂの要素（３ｂ）を形成する色材を設定する。第１ａの要素（３ａ）及び第１ｂの要素（３ｂ）は、それぞれ基材（１）と異なる色の色材とする。第１ａの要素（３ａ）を形成する第１の色材及び第１ｂの要素（３ｂ）を形成する第２の色材は、前述した印刷物（Ｓ）の構成を説明する際に述べた範囲内で適宜設定する。
【００８０】
次に、第１の要素（３）の要素幅（Ｗ１）及び第１の要素（３）を配置する際の方向性を設定する。要素幅（Ｗ１）は、前述した印刷物（Ｓ）の構成を説明する際に述べた範囲内で適宜設定する。また、方向性は、前述した印刷物（Ｓ）の構成を説明する際に述べたように、複数の第１の要素（３）が、同じ方向性を有するように適宜設定する。なお、第１の要素（３）を第１のピッチ（Ｐ１）で配置する場合には、さらに、前述した印刷物（Ｓ）の構成を説明する際に述べた範囲内で適宜設定する。
【００８１】
次に、第１ａの要素（３ａ）及び第１ｂの要素（３ｂ）から成る要素セット（５）を、基材（１）上にどのように配置するか設定する。要素セット（５）は、基材（１）上に複数配置するが、その際、前述の印刷物（Ｓ）の構成を説明する際に述べたように、複数の要素セット（５）において、第１ａの要素（３ａ）及び第１ｂの要素（３ｂ）を交互に規則性を持たせて配置するか否かを設定する。
【００８２】
次に、第１ａの要素（３ａ）及び第１ｂの要素（３ｂ）を、基材（１）上に公知の印刷方法により形成する。まず、先に設定した、第１の要素（３）の要素幅（Ｗ１）と、第１のピッチ（Ｐ１）とを基に、公知の製版方法により印刷版面を作製する。なお、第１ａの要素（３ａ）及び第１ｂの要素（３ｂ）を公知のプリンタを用いて基材（１）上に形成する場合には、印刷版面を作製する必要はない。
【００８３】
印刷物（Ｓ）を作製する場合、ほとんどの印刷方式において、印刷物と印刷版面間ではドットゲインによる画線面積率又は網点面積率の上昇が見込まれることから、版面作製にあたっては、あらかじめそれを見込んだ画線面積率又は網点面積率にする必要があることはいうまでもない。
【００８４】
次に、作製した印刷版面を用いて、印刷版面に適した印刷方式により基材（１）上に複数の第１の要素（３）を印刷する。印刷方式は、オフセット印刷方式、グラビア印刷方式、スクリーン印刷方式、フレキソ印刷方式、インクジェットプリンタ、レーザプリンタ等、適宜選択した基材（１）上に印刷可能であれば特に限定されるものではない。
【００８５】
次に、ＳＴＥＰ２として、第１の要素群（３Ｇ）上に第２の要素群（４Ｇ）を形成する。
【００８６】
まず、第２の要素（４）を形成する色材を設定する。第２の要素（４）は、第１ａの要素（３ａ）及び第１ｂの要素（３ｂ）を形成する第１の色材及び第２の色材を隠蔽する色材とする。第２の要素（４）を形成する第３の色材は、用いる基材（１）及び、第１ａの要素（３ａ）及び第１ｂの要素（３ｂ）との密着性に適したインキであれば、前述した印刷物（Ｓ）の構成を説明する際に述べた範囲内で適宜設定する。
【００８７】
次に、第２の要素（４）の要素幅（Ｗ２）及び方向性を設定する。要素幅（Ｗ２）は、前述した範囲内で適宜設定する。また、方向性は、前述した印刷物（Ｓ）の構成を説明する際に述べたように、第１の要素群（３Ｇ）と同じ方向性を有するように適宜設定する。なお、第２の要素（４）を第２のピッチ（Ｐ２）で配置する場合には、さらに、前述した印刷物（Ｓ）の構成を説明する際に述べた範囲内で適宜設定する。
【００８８】
次に、複数の第１の要素（３）を配列した第１の方向（Ｘ１）に対する，複数の第２の要素（４）を配列する第２の方向（Ｘ２）を設定する。図７に示した第１の方向（Ｘ１）のみに連続階調を有する連続階調模様（２）を作製する場合には、第１の方向（Ｘ１）に対する第２の方向（Ｘ２）が有する所定の角度を０度に設定する。つまり、第２の方向（Ｘ２）は、第１の要素（３）を配列した方向と同じ方向に設定する。
【００８９】
また、図１１に示した、第１の方向（Ｘ１）及び第３の方向（Ｙ１）の双方に連続階調を有する連続階調模様（２’）を作製する場合には、第１の方向（Ｘ１）に対する第２の方向（Ｘ２）が有する所定の角度を、１度以上３度未満に設定する。つまり、第２の方向（Ｘ２）は、第１の方向（Ｘ１）と異なる方向に設定する。
【００９０】
次に、第２の要素（４）を、第１の要素群（３Ｇ）上に公知の印刷方式により形成する。まず、先に設定した、第２の要素（４）の要素幅（Ｗ２）及び第２のピッチ（Ｐ２）を基に、印刷版面を作製する。なお、第２の要素（４）を公知のプリンタを用いて第１の要素（３）上に形成する場合には、前述した第１の要素（３）と同様に印刷版面を作製する必要はない。
【００９１】
次に、作製した印刷版面を用いて、印刷版面に適した印刷方式により第１の要素群（３Ｇ）上に複数の第２の要素（４）を形成する。複数の第２の要素（４）の印刷方式は、基材（１）及び第１の要素（３）上に印刷可能であれば、前述した第１の要素（３）と同様に特に限定されるものではない。
【００９２】
以上、基材（１）上に、第１の要素群（３Ｇ）を印刷したのち、第１の要素群（３Ｇ）上に、第１の要素群（３Ｇ）と同じ方向性で第２の要素群（４Ｇ）を印刷することで、連続階調模様（２、２’）を有する印刷物（Ｓ）を作製する。
【００９３】
作製した印刷物（Ｓ）が有する連続階調模様（２）は、前述した図７（ａ）及び図１１に示すとおりである。例えば、図７（ａ）に示すように、連続階調模様（２）内において一番左側に示す要素セット（５−１）では、第２の要素（４）が第１ａの要素（３ａ）を隠蔽しており、一番右側に示す要素セット（５−Ｎ）では、第２の要素（４）が第１ｂの要素（３ｂ）を隠蔽している。つまり、第１の方向（Ｘ１）に、左側から右側へと、第２の要素（４）が隠蔽する第１の要素（３）の位置が変わることで面積率が徐々に変化している。このように、複数の要素セット（５）においては、面積率の変化に伴い左側から右側へと、各々の要素セット（５）における混色の割合が徐々に変化する。それにより、連続階調模様（２）は、レインボー印刷と同様に、連続階調を有する模様として視認される。
【００９４】
なお、第２の要素（４）が隠蔽する第１ａの要素（３ａ）の面積率が、徐々に第１の方向（Ｘ１）に変化し、再度第１ａの要素（３ａ）を隠蔽する位置となった場合を１周期とし、この周期を１階調と定義すると、連続階調模様（２）の大きさと、連続階調模様（２）内に占める第１ａの要素（３ａ）及び第１ｂの要素（３ｂ）の本数に対し、第２の要素（４）のピッチ（Ｐ２）を変更することで、２階調、２．５階調、３階調等、任意な階調数を表現することが可能となる。
【００９５】
以下、実施例を用いて本発明を更に具体的に説明するが、本発明を限定するものではない。
【００９６】
（実施例１）
実施例１として図７に示した連続階調模様（２）を作製した。連続階調模様（２）は、基材（１）として上質紙（日本製紙製  ＮＰＩ上質紙  ８１．４ｇ／ｍ２）を用いた。まず、基材（１）上に第１ａの要素（３ａ）及び第１ｂの要素（３ｂ）を第１の方向（Ｘ１）に複数配置した。
【００９７】
第１ａの要素（３ａ）及び第１ｂの要素（３ｂ）の要素幅（Ｗ１）は、１２０μｍとした。第１の要素（３）は、第１のピッチ（Ｐ１）を２５７．５μｍの一定ピッチとして形成した。また、第１ａの要素（３ａ）及び第１ｂの要素（３ｂ）のピッチ（Ｐ１Ｎ）はいずれも５１５μｍの一定ピッチとして形成した。
【００９８】
第１ａの要素（３ａ）は、オフセットインキ（Ｔ＆Ｋ  ＴＯＫＡ製  ベストキュア  藍）を用いて印刷し、第１ｂの要素（３ｂ）は、オフセットインキ（Ｔ＆Ｋ  ＴＯＫＡ製  ベストキュア  紅）を用いて印刷した。なお、第１ａの要素（３ａ）及び第１ｂの要素（３ｂ）は、それぞれオフセット印刷機（下垣鉄工所製  ＥＰ―６０）により基材（１）上に形成した。
【００９９】
次に、複数の第１の要素（３）上に、複数の第２の要素（４）を印刷した。第２の要素（４）は、第１の方向（Ｘ１）と同じ第２の方向（Ｘ２）に複数配置した。第２の要素（４）の要素幅（Ｗ２）は８０μｍとし、オフセットインキ（Ｔ＆Ｋ  ＴＯＫＡ製  ベストキュア  黒）を用いて印刷した。なお、第２の要素（４）は、オフセット印刷機（下垣鉄工所製  ＥＰ―６０）により複数の第１の要素（３）上に形成した。
【０１００】
実施例１にて作製した連続階調模様（２）を肉眼で観察したところ、複数の第１ａの要素（３ａ）及び第１ｂの要素（３ｂ）を、第２の要素（４）が部分的に隠蔽することで、シアン色領域とマゼンタ色領域の中央に、シアン色とマゼンタ色が混色した領域が視認でき、混色領域はマゼンタ色領域に近づくに従いシアン色の占める割合が少なくなり徐々にマゼンタ色となり、混色領域はシアン色領域に近づくに従いマゼンタ色の占める割合が少なくなり徐々にシアン色となる、連続階調を有する模様として視認できた。なお、第２の要素（４）は、要素幅（Ｗ２）８０μｍの黒色インキで印刷したため、肉眼ではほとんど視認することはできなかった。
【０１０１】
以上、本発明に係る実施例１に基づいて実施の形態を説明したが、上記実施例１に限定されることなく特許請求の範囲記載の技術思想の範囲内で、更にいろいろな実施例があることは言うまでもない。
【符号の説明】
【０１０２】
１          基材
２、２’、２ｃ          連続階調模様
３          第１の要素
３ａ          第１ａの要素
３ｂ          第１ｂの要素
３Ｇ          第１の要素群
４、４’           第２の要素
４Ｇ          第２の要素群
５、５’           要素セット
Ｓ          印刷物
Ｚ          領域
Ｘ１          第１の方向
Ｘ２          第２の方向
Ｙ１          第３の方向
Ｐ１          第１のピッチ
Ｐ２          第２のピッチ
【図１】
2013230640.tif 000003
【図２】
2013230640.tif 000004
【図３】
2013230640.tif 000005
【図４】
2013230640.tif 000006
【図５】
2013230640.tif 000007
【図６】
2013230640.tif 000008
【図７】
2013230640.tif 000009
【図８】
2013230640.tif 000010
【図９】
2013230640.tif 000011
【図１０】
2013230640.tif 000012
【図１１】
2013230640.tif 000013
【図１２】
2013230640.tif 000014
【図１３】
2013230640.tif 000015
【図１４】
2013230640.tif 000016
【図１５】
2013230640.tif 000017
【図１６】
2013230640.tif 000018